(57)【要約】【課題】  植木鉢を家の内外の壁面に又は塀の壁面等に懸架して、植木鉢に植え込まれた草花等の観賞用植物を空間に展示して観賞することができる懸架式植木鉢を提供する。【解決手段】  壁面に貼着される懸架用留具と、該懸架用留具に引掛けるフックを備えた植木鉢から構成され、前記植木鉢が合成樹脂製であつて、円壺状の外形を有し、かつ、最大外径部で上下二分割される構造を有すると共に、前記懸架用留具が、合成樹脂製であって、壁面に螺着又は釘着する複数の貼着用ねじ穴を有する貼着板と、該貼着板とＬ字型に一体に形成され、かつ、反貼着板側に円弧状端面を有する張出し板と、該張出し板上にほぼ垂直に立設され、かつ、上部に凹部を形成したフック受け部から構成されることを特徴とする。【選択図】図１
0003112785.tif 000002
【実用新案登録請求の範囲】
【請求項１】
壁面に貼着される懸架用留具と、該懸架用留具に引掛けるフックを備えた植木鉢と、から構成されることを特徴とする懸架式植木鉢。
【請求項２】
前記植木鉢が、合成樹脂製であつて、円壺状の外形を有し、かつ、最大外径部で上下二分割される構造を有し、また、下の分割部から外方へ延在し、かつ、下方に開口する鉤状フックを単数又は複数個形成した構成からなることを特徴とする請求項１に記載の懸架式植木鉢。
【請求項３】
前記懸架用留具が、合成樹脂製又は金属製であって、壁面に螺着又は釘着する複数の貼着用ねじ穴を有する貼着板と、該貼着板とＬ字型に一体に形成され、かつ、反貼着板側に円弧状端面を有する張出し板と、該貼着板から二枚の隔壁により離隔した位置で該張出し板上にほぼ垂直に立設され、かつ、上部に凹部を形成したフック受け部と、から構成されることを特徴とする請求項ｌ又は２に記載の懸架式植木鉢。
【考案の詳細な説明】
【技術分野】
【０００１】
本考案は、植木鉢を家の内外の壁面に又は塀の壁面等に懸架して、植木鉢に植え込まれた草花等の観賞用植物を空間に展示して観賞することができる懸架式植木鉢に関するものである。
【背景技術】
【０００２】
従来、庭や鉢植え込みなどで草花を観賞することが多く行われている。中でも鉢植えは、庭がない場合とか、余り日が当たらない庭又は庭土が余り良くない庭の場合でも、鉢植えだとどんな場所でも植えられるし、また、鉢やコンテナに草花を植えることにより誰でも気軽に観賞できるからである。これら鉢植えの中で、通常飾れない場所に飾れるとか、空間の有効利用が可能ということからベランダやバルコニーの外壁に樋状体を取り付け、その中に栽培土を入れた植物観賞装置の先行技術が開示されている（特許文献１参照）。また、吊り鉢式の鉢植えも流行している。この吊り鉢方式で、鉢の大きさに左右されない吊り鉢の先行技術が開示されている。（特許文献２参照）
【特許文献１】特開平１１−１９２０２２号公報
【特許文献２】特開２００ｌ−１３７０９６号公報
【考案の開示】
【考案が解決しようとする課題】
【０００３】
しかし、前者の植物観賞装置は空間の有効利用の点ではよいが、装置が大掛かりであり、しかも家の内外の壁面の場合には設置が容易でない。また、吊り鉢方式においても、空間の有効利用が可能という点ではよいが、家の内外の壁面に又は塀の壁面等には、吊り鉢方式は設置が容易であるとはいえず、また、鉢植えの花が盛りを過ぎた場合とかに、吊り鉢を差し替える作業も容易ではないという問題があった。
【０００４】
本考案は、上記の問題点を解消するために為したものであって、その目的は、植木鉢を家の内外の壁面に又は塀の壁面等に懸架して、植木鉢に植え込まれた草花等の観賞用植物を空間に展示して観賞することができる懸架式植木鉢を提供するものである。
【課題を解決するための手段】
【０００５】
本考案（請求項ｌ）に係る懸架式植木鉢は、壁面に貼着される懸架用留具と、該懸架用留具に引掛けるフックを備えた植木鉢と、から構成されることを特徴とする。本考案（請求項２）に係る懸架式植木鉢は、請求項１記載の懸架式植木鉢において、前記植木鉢が、合成樹脂製であつて、円壺状の外形を有し、かつ、最大外径部で上下二分割される構造を有し、また、下の分割部から外方へ延在し、かつ、下方に開口する鉤状フックを単数又は複数個形成した構成からなることを特徴とする。
【０００６】
本考案によれば、前記植木鉢は合成樹脂製であるから軽量で強度があり、着色も自由であり、形状も円壺状、即ち女性のウェストライン、ヒップラインを想起する優美な形状を有しているから、植木鉢に植え込まれる観賞用植物、草花とともに美感を増大することができる。また、該植木鉢は懸架用フックを有しているので、壁面に貼着ける懸架用留具に自由自在に取付け取外しが容易にできる。また、懸架用フックを複数にすることにより鉢の向きを自由に変えれ、それに伴う美観も変えることができる。
【０００７】
また、本考案（請求項３）に係る懸架式植木鉢は、請求項１又は２に記載の懸架式植木鉢において、前記懸架用留具が、合成樹脂製であって、壁面に螺着又は釘着する複数の貼着用ねじ穴を有する貼着板と、該貼着板とＬ字型に一体に形成され、かつ、反貼着板側に円弧状端面を有する張出し板と、該貼着板から二枚の隔壁により離隔した位置で該張出し板上にほぼ垂直に立設され、かつ、上部に凹部を形成したフック受け部と、から構成されることを特徴とする。
【０００８】
また、本考案によれば、植木鉢を懸架用留具に懸架用フックで引っ掛けている構成であるから、懸架用留具からの取り外しが容易で、植木鉢一個の単位で草花の展示を入れ替えることや草花の育成に適した場所への移動ができる。また、該懸架用留具は家の内外の壁面や塀の壁面に螺着又は釘着することで確実に、容易に取り付けることができる。つまり、懸架式植木鉢の設置する場所の制約が少ないから、鑑賞植物や鑑賞草花を観賞に適した場所に展示することが容易である。
【考案の効果】
【０００９】
以上説明したように、本考案に係る懸架式植木鉢は、家の内外の壁面や塀等の壁面に容易に設置できるし、また、植木鉢の入れ替えも容易であり、観賞の時期を迎えた鑑賞植物や鑑賞草花を適所に展示して観賞することができる。また、懸架式植木鉢及び該植木鉢は設置場所の選択及び移動が容易であり、かつ、該植木鉢の円壺状の外形美と相俟って、家の中からとか、外に向けての美感をもたらす展示場所の選択の自由度が大きい。また、該植木鉢自体は軽量で、合成樹脂製だから色彩、形状の選択に自由度があり、また、鉢植えの品種の入れ替えが、鉢の入れ替えとともに容易に自由にできるから、展示の選択幅が広く取れる。
【考案を実施するための最良の形態】
【００１０】
以下、本考案の実施するための最良の形態を図面に基づいて説明する。図ｌは、本考案の実施するための最良の形態に係る懸架式植木鉢の全体斜視図である。図２は、図１の植木鉢におけるＡ一Ａ矢視の断面図（ａ）、Ｂ一Ｂ矢視の部分断面図（ｂ）、Ｃ部の模式的斜視図（ｃ）である。図３は、図２の目皿板の平面図である。図４は、本考案の実施するための最良の形態に係る懸架式植木鉢の懸架用留具の斜視図（ａ）、正面図（ｂ）、平面図（ｃ）、Ａ−Ａ矢視断面図（ｄ）である。図５は、本考案の実施するための最良の形態に係る懸架式植木鉢の使用状態図である。
【００１１】
本考案の実施するための最良の形態に係る懸架式植木鉢ｌについて図ｌに基づいて説
明すると、懸架式植木鉢ｌは、壁面に貼着可能な懸架用留具１５と、該懸架用留具１５に引掛けられる一個の植木鉢２と、から構成される。また、図１は、懸架式植木鉢１において、植木鉢２が懸架用留具１５に引っ掛ける直前の状態を示している。植木鉢２は最大外径部、いわゆる接合部１２において二分割され、ポット本体３と上環状部４とから構成される。また、ポット本体３の接合部１２の下部で、外周面から延在する単数又は複数の懸架用フック５が、図４に示す懸架用留具１５の凹部１６に載置されるとともに、懸架用フック５の下鉤状の先端は開口部１９に嵌まる。こうして、円壺状の植木鉢２が懸架用留具１５に引っ掛って合体して懸架式植木鉢１となる。  
【００１２】
図２に示すように、植木鉢２は、円壺状の外形を有しているから、製作にあたっては成型性のよい、強度が薄肉でも高い、着色が自由にできる点で、ポリプロピレン系のプラスチック材を用いて、金型による射出成型法で製作される。しかし、植木鉢２が円壺形状であるから、一体成型では金型からの抜きが不可能であるので、接合部１２の所で上下に分割されて、ポット本体３と上環状部４とからなる構成をとる。該上環状部４は球分の外形を有して一体成型で製作される。また、下のポット本体３は深さ方向に径が先細りになる形状を有し、接合部１２の下部に設けられる単数又は複数の懸架用フック５とともに一体成型で製作される。本例では、植木鉢２の標準的な大きさは最大外径が約１５ｃｍ、全高は約１６ｃｍである。なお、前記寸法は本考案を限定するものではない。また、懸架用フック５は一個のものを図示しているが、複数個備えてあってもよい。
【００１３】
ポット本体３と上環状部４は別々に成型されて製作されるから、その接合はポット本体３の内面にあって接合部１２から突出した３個以上の複数の接合用鍵１０を上環状部４の内面にあって接合部１２直上の、かつ接合用鍵１０に対応する位置に設けられる接合用鍵溝１１に嵌め込み、両者を捻ることにより咬合して行われる。この場合、接合部１２は両者平面であってもよいが、段付き面（図示していない）である方が接合部１２から養土や水の洩れが少なくなるのでよい。  
【００１４】
また、植木鉢２のポット本体３の内底部に目皿板６が間隔片７により底から離間された位置に載置される。該目皿板６は、図３に示すように方眼状に多数の目皿開口８があり、また、中心部と中間部に複数個の（本図では７個）突起状の間隔片７を有し、プラスチック材で一体成型で製作される。また、ポット本体３の内底部の隅には、排水孔９とその閉栓９ａが設けられる。
【００１５】
また、懸架用留具１５は、合成樹脂製であって、壁面に螺着又は釘着するための複数の貼着用ねじ穴２０を有する貼着板１５ａと、該貼着板１５ａとＬ字型に一体に形成され、かつ、反貼着板側に円弧状端面１７ａを有する張出し板１７と、該貼着板１５ａから二枚の隔壁１８により離隔した位置で該張出し板１７上にほぼ垂直に立設され、かつ、上部に凹部１６ａを形成したフック受け１６と、から構成されている。さらに、張出し板１７に、該貼着板１５ａと二枚の隔壁１８とフック受け１６とから囲まれる部分を開口した開口部１９を設けているので、植木鉢の懸架用フック５の全長が長くても張出し板１７に突き当たることなくフック受け１６に確実に嵌まることができる。
【００１６】
また、フック受け１６は、植木鉢２の懸架用フック５が引っ掛かる面の高さを一段低くして凹部１６ａとなし、懸架用フック５を安定して引掛け易い形状としている。また、フック受け１６は、下部は張出し板１７と、側部は貼着板１５ａと連設した隔壁１８二枚と、連設して一体成型されているから、フック受け１６は植木鉢２の重量を十分支待し得る強度を持つ構造となっている。また、植木鉢２は懸架用留具１５に引掛けて懸架されるから、栽培用の養土を含めた植木鉢２の重量が懸架用フック５を介して懸架用留具１５のフック受け１６に掛り、また、一部の重量の回転モーメントを植木鉢２の接合部１２の下部が張出し板１７の円弧状端面１７ａと接触することにより負担させる構造となっている。すなわち、張出し板１７の円弧状端面１７ａは植木鉢２の接合部１２の下部と接触する構造を取っているので、フック受け１６と張出し板１７の円弧状端面１７ａとの協同作用により植木鉢２の重量を十分負担することができる。懸架用留具１５は、植木鉢２の荷重をフック受け１６と張出し板１７を介して貼着板１５ａに総荷重を負担させる役目から、材質は高強度で、亀裂又は引き裂き抵抗の大きい材質であるポリプロピレン系樹脂等の合成樹脂が用いられ、一体成型で製作される。本実施形態の懸架用留具１５の標準的な大きさは、幅約５ｃｍ、高さ約５ｃｍであって、張出し板１７の張り出し方向は約２〜２．５ｃｍである。なお、前記寸法は本考案を限定するものではない。
【００１７】
懸架式植木鉢１の使用状態について図５に示しているように、懸架用留具１５に１個の植木鉢２を引っ掛けた懸架式植木鉢１内に草花等の観賞用植物３０を栽培して展示している。本考案に係る懸架式植木鉢１は、前述したように家の内外の壁面や塀等の壁面に貼着した状態で設置できるので、このように設置面積が少なくても、空間を有効に利用して草花等の観賞用植物３０を展示できるので、従来にない様式で草花植物３０や観葉植物３０の観賞が可能となる。また、生花でない造花や作り物の観葉植物等も懸架式植木鉢１を用いて観賞するための展示が可能である。
【００１８】
また、植木鉢２の使用にあたっては、ポット本体３の内底に目皿板６を載置して目皿板６上に養土（図示しない）を充填する。前述したように、本発明に係わる懸架式植木鉢１は、植木鉢２及び懸架用留具１５に関して植木鉢２内に装入する養土重量の制約がほとんど無いから、ポット本体３内に充填する養土は観賞用植物３０に適したものが自由に選択できる。また、目皿板６とポット本体３の内底との間の空間は、養土に滲み込まずに溢れた余剰の水を一時貯水する場所であって、植木鉢２が屋外に設置される場合には、ポット本体３内底にある閉栓９ａは必要が無く排水孔９から排水してもよいし、又は屋内に設置される場合には、排水孔９を閉栓９ａで塞いで室内に排水が垂れることがないよう、設置場所により適宜選択可能である。
【００１９】
また、植木鉢２はポット本体３と上環状部４とに分割可能になっているから、植物３０の栽培作業において植木鉢２を一体の形で使用するか、ポット本体３のみで使用し、次に展示する時に上環状部４を結合して植木鉢２とするように、栽培作業との関係で適宜選択することが可能である。また、ポット本体３と上環状部４とを咬合した状態で接着して植木鉢２とすることも勿論可能である。前述のように、本発明に係わる懸架式植木鉢１の植木鉢２は円壺状の外形美を有すると共に、機能的にも使い易い構造を有している。
【００２０】
また、植木鉢２を入れ替えるための取り外しが可能となっているから、展示する植物３０の植木鉢２を入れ替えたり、または、観賞用植物３０に適した別の場所で育成したものを見ごろになった頃に、懸架用留具１５に移設して展示することもできるので、植木鉢２での観賞用植物３０の展示及び育成面で作業が容易であるとともに、これら作業を選択する自由度も大きい。また、懸架式植木鉢ｌは壁面に螺着、釘着又は貼付けと適宜選択できる懸架用留具１５が付随しているから、家の内外の壁面や塀等の壁面に懸架するのが容易であり、展示の姿が自由に変えられ、観賞の幅が広がる利点が有る。懸架式植木鉢１の懸架場所の変更も、懸架用留具１５を付け替えるだけであり、場所変更の作業も容易で、ひいては、場所の選択もし易い。  
【産業上の利用可能性】
【００２１】
壁面に装着された懸架式植木鉢において、植木鉢の外形美と相俟って草花等の観賞用植物や観葉植物等の観賞に美感を助長し、かつ、観賞植物ごと植木鉢が入れ替え易いので、園芸分野で利用できる。
【図面の簡単な説明】
【００２２】
【図１】本考案の実施するための最良の形態に係る懸架式植木鉢の全体斜視図である。
【図２】図１の植木鉢におけるＡ一Ａ矢視の断面図（ａ）、Ｂ一Ｂ矢視の部分断面図（ｂ）、Ｃ部の模式的斜視図（ｃ）である。
【図３】図２の目皿板の平面図である。
【図４】本考案の実施するための最良の形態に係る懸架式植木鉢の懸架用留具の斜視図（ａ）、正面図（ｂ）、平面図（ｃ）、Ａ−Ａ矢視断面図（ｄ）である。
【図５】本考案の実施するための最良の形態に係る懸架式植木鉢の使用状態図である。
【符号の説明】
【００２３】
１：懸架式植木鉢        ２：植木鉢        ３：ポット本体      ４：上環状部 
５：懸架用フック        ６：目皿板        ７：間隔片          ８：目皿開口
９：排水孔            ９ａ：閉栓        １０：接合用鍵      １１：接合用鍵溝
１２：接合部          
１５：懸架用留具    １５ａ：貼着板      １６：フック受け部  １６ａ：凹部
１７：張出し板      １７ａ：円弧状端面    １８：隔壁        １９：開口部
２０：貼着用ねじ穴      ３０：観賞用植物
【図１】
0003112785.tif 000003
【図２】
0003112785.tif 000004
【図３】
0003112785.tif 000005
【図４】
0003112785.tif 000006
【図５】
0003112785.tif 000007